(57)【特許請求の範囲】
【請求項１】
ハウス用枠（２）と、このハウス用枠における屋根部分に着脱自在に張設されたシート（３）とから構成され、
ハウス用枠（２）は前後方向をもって等間隔で併設されたフレーム（４）と、これらフレーム間における棟部分に張設された棟用連結パイプ（５）と、フレーム間における屋根部分に張設された適数本の母屋用連結パイプ（６）と、フレーム間における軒部分に張設された軒用連結パイプ（１３）とから構成され、
フレーム（４）における屋根部上面から当該フレーム（４）の垂直部（４Ａ）の上方部分にかけて取付けレール（８）を介して添設された縦ガイドレール（７）は、細幅の帯状体部（７Ａ）と、この帯状体部（７Ａ）の前後縁に連設した前後のガイド部（７Ｂ、７Ｃ）から構成され、ガイド部（７Ｂ、７Ｃ）を構成するパイプ（７Ｂ１、７Ｃ１）には外方に向けたスリット（７Ｂ２、７Ｃ２）を刻設すると共に、パイプ（７Ｂ１、７Ｃ１）のガイド部側下端にはそれぞれ細幅の下帯状体（７Ｄ）が張設され、下帯状体（７Ｄ）の中心には縦溝（７Ｄ１）が開設され、
取付けレール（８）は、底板（８Ａ）と前後壁（８Ｂ、８Ｂ）が上面が開口しているＣ型鋼状に構成され、前後壁（８Ｂ、８Ｂ）の上辺には逆Ｕ字状の湾曲部（８Ｂ１、８Ｂ１）が形成され、フレーム（４）に連結され、
また、縦ガイドレール（７）は、取付け金具（７Ｅ）を介して取付けレール（８）に連結され、取付け金具（７Ｅ）は、外枠（７Ｅ１）と内枠（７Ｅ２）と連結ボルト（７Ｅ３）と縦ガイドレール連結ボルト（７Ｅ４）から構成され、
外枠（７Ｅ１）は、細幅板をもって構成された取付けレール（８）の前後壁（８Ｂ、８Ｂ）間に架設される水平部（７Ｅ１１）と、水平部に下方に向け折曲げ取付けレールの前後壁を外方から囲むよう形成された側面部（７Ｅ１２）と、側面部（７Ｅ１２）の下端に内方に向け折曲げ取付け金具（７Ｅ）の前後下端隅に取付けレール（８）を外方から係止するよう形成された係止辺（７Ｅ１３）から構成され、水平部（７Ｅ１１）の中心には前後に横長の縦ガイドレール連結穴（７Ｅ１４）が、縦ガイドレール連結穴の前後には連結ボルト穴（７Ｅ１５）が開設され、
内枠（７Ｅ２）は、細幅板をもって構成された内枠板（７Ｅ２１）の両端に、取付けレール（８）における湾曲部（８Ｂ１、８Ｂ１）に下方から係止される屈曲片（７Ｅ２２）が形成され、内枠板（７Ｅ２１）の中心には前後に横長の縦ガイドレール連結穴（７Ｅ２４）が、縦ガイドレール連結穴の前後には連結ボルト穴（７Ｅ２３）が開設され、
連結ボルト（７Ｅ３）は、外枠（７Ｅ１）と内枠（７Ｅ２）とを連結していると共に、縦ガイドレール連結ボルト（７Ｅ４）は、ボルト頭（７Ｅ４１）を縦ガイドレール（７）における縦溝（７Ｄ１）に挿入し、ボルト軸を縦ガイドレール連結穴（７Ｅ１４）と縦ガイドレール連結穴（７Ｅ２４）に貫通させナットで緊締され、当該フレーム（４）の垂直部（４Ａ）に設けた縦ガイドレール（７）の下端近傍位置をもって水平状態で張設された左右の連結用側方角パイプ（９）を、前後に位置するフレーム（４）間に設け、シートの連結用側方角パイプ（９）の所定位置にシート緊張具部（１０）が設けられ、
シート緊張具部（１０）は、シート体（３Ａ）における連結横杆用袋（３Ｄ）に挿入された連結横杆（１０Ａ）と、連結用側方角パイプ（９）の左右端においてアーチ状パイプ（１１Ａ、１１Ａ）に添うように起立された連結横杆用昇降ガイド（１０Ｂ、１０Ｂ）と、連結用側方角パイプ（９）の上面に植設され、連結横杆（１０Ａ）に貫通し、当該連結横杆をナット（１０Ｃ１）で緊締するよう構成されたボルト（１０Ｃ）から構成され、
前後に位置するフレーム（４、４）間に設けられたテンション用中央枠部（１１）は、前後一対のアーチ状パイプ（１１Ａ、１１Ａ）と、締付け具部（１１Ｂ）と、フック（１１Ｃ）から構成され、アーチ状パイプ（１１Ａ、１１Ａ）は、棟用連結パイプ（５）と、母屋用連結パイプ（６）、軒用連結パイプ（１３）の上面に位置し、かつ下端が連結用側方角パイプ（９）の上面に連結構成され、また、締付け具部（１１Ｂ）は、連結用側方角パイプ（９）の上面にアーチ状パイプ（１１Ａ、１１Ａ）の中間に位置するよう植設された係止フック（１１Ｂ１）と、この係止フックに係止されたターンバックル（１１Ｂ２）から構成され、フック（１１Ｃ）は母屋用連結パイプ（６）の上面に、アーチ状パイプ（１１Ａ、１１Ａ）の中間に位置するよう突設され、
シート（３）は、ハウス用枠（２）における前後に位置するフレーム（４）と左右の連結用側方角パイプ（９）とで囲まれた平面方形のシート展張スペース（１２）に対応する寸法に裁断されたシート体（３Ａ）と、このシート体（３Ａ）の縦長辺に添設された縦長辺用索状膨大部（３Ｂ）と、このシート体（３Ａ）の横短辺に添設された横短辺用折返し部（３Ｃ）とから構成され、
これら縦長辺用索状膨大部（３Ｂ）は、シート体（３Ａ）の縁に位置する無撚糸ロープ（３Ｂ１）と、この無撚糸ロープの外周面を覆い、かつ、シート体（３Ａ）の縁部上下面に接着された滑り材（３Ｂ２）とから構成され、
シート体（３Ａ）の裏面における横短辺用折返し部（３Ｃ）の近傍には、当該横短辺用折返し部と平行に連結横杆用袋（３Ｄ）が添着されていると共に、この連結横杆用袋（３Ｄ）内には連結横杆（１０Ａ）が貫通され、シート体（３Ａ）の下面中央部には左右方向をもって縦帯状の袋（３Ｅ）が添着され、かつ、この袋（３Ｅ）には母屋用連結パイプ（６）の設置箇所をもって切り込み状開口部（３Ｅ１）が形成されていると共に、この袋（３Ｅ）にはベルト（３Ｅ２）が差し込まれ、切り込み状開口部（３Ｅ１）のあるところには係止環（３Ｅ３２）が取付けられ、この係止環（３Ｅ３２）は、母屋用連結パイプ（６）の中間に取付けられたフック（１１Ｃ）に引っ掛けられ、固定されシート（３）の中間部を固定し、また、ベルト（３Ｅ２）の両端にはターンバックル（１１Ｂ２）に係止される係止環（３Ｅ３）が取付けられ、ターンバックルを締付け方向に回転させると、ベルト（３Ｅ２）が緊張し、シート体全体が緊張状態となるよう構成されていることを特徴とするシートハウス。
【請求項２】
取付け金具（７Ｅ）に代えて使用される第１取付け金具（７Ｆ）は、外枠（７Ｆ１）と連結ボルト（７Ｆ２）と縦ガイドレール連結ボルト（７Ｆ３）から構成され、
外枠（７Ｆ１）は、細幅板をもって構成された取付けレール（８）の前後壁（８Ｂ、８Ｂ）間に架設される水平部（７Ｆ１１）と、水平部の両端に取付けレール（８）における湾曲部（８Ｂ１、８Ｂ１）に上方から係止される屈曲片（７Ｆ１２）から構成され、水平部（７Ｆ１１）の中心には前後に横長の縦ガイドレール連結穴が開設され、連結ボルト（７Ｆ２）は、外枠（７Ｆ１）と取付けレール（８）における湾曲部とを連結すると共に、縦ガイドレール連結ボルト（７Ｆ３）は、ボルト頭（７Ｆ３１）を縦ガイドレール（７）における縦溝（７Ｄ１）に挿入し、ボルト軸を縦ガイドレール連結穴に貫通させナットで緊締されている請求項１記載のシートハウス。
【請求項３】
取付け金具（７Ｅ）に代えて使用される第２取付け金具（７Ｇ）は、外枠（７Ｇ１）と内枠（７Ｇ２）と連結ボルト（７Ｇ３）と縦ガイドレール連結ボルト（７Ｇ４）から構成され、
外枠（７Ｇ１）は、細幅板をもって構成された取付けレール（８）の前後壁（８Ｂ、８Ｂ）間に架設される水平部（７Ｇ１１）と、水平部の両端に取付けレール（８）における湾曲部（８Ｂ１、８Ｂ１）に上方から係止される屈曲片（７Ｇ１２）から構成され、水平部（７Ｇ１１）の中心には平面から見て前後に横長の縦ガイドレール連結穴が、縦ガイドレール連結穴の前後には連結ボルト穴が開設され、内枠（７Ｇ２）は、細幅板をもって構成された内枠板（７Ｇ２１）の両端に取付けレール（８）における湾曲部（８Ｂ１、８Ｂ１）に下方から嵌合する丸棒体（７Ｇ２２）が形成され、内枠板（７Ｇ２１）の前後には連結ボルト穴が開設され、連結ボルト（７Ｇ３）は、外枠（７Ｇ１）と内枠（７Ｇ２）とを連結すると共に、縦ガイドレール連結ボルト（７Ｇ４）は、ボルト頭（７Ｇ４１）を縦ガイドレール（７）における縦溝（７Ｄ１）に挿入し、ボルト軸を縦ガイドレール連結穴に貫通させナットで緊締されている請求項１記載のシートハウス。
【発明の詳細な説明】
【０００１】
【発明の属する技術分野】
本発明は、水泳プール上屋、農業用ハウス、簡易ビニールハウスなどに好適なシートハウスに関するものである。
【０００２】
【従来の技術】
従来、この種のものにあっては、下記のようなものになっている。
鉄骨部に対して、高所作業によって縁端にハトメ穴を設けたシートを結束して張設する構造になっている。
【０００３】
【発明が解決しようとする課題】
従来の技術で述べたものにあっては、下記のような問題点を有していた。
１．シート展張時に高所作業となり、危険である。
２．シート展張作業が高所作業となってしまうため、労働安全衛生規則に基づき作業床を設置しなければならず、そのため、費用が嵩む。
３．従来のシートを止め付ける方法のシート周囲に取付けられたハトメを利用して骨組鉄骨とロープで固定する方法では、高所作業を伴う上、作業時間もかかり、シートの充分な緊迫状況が得られなかった。
４．従来のレール（特許第２５３４９６９号、意匠第９６１２８４号のレール）は、レール自体の剛性がなく、また、シートとのクリアランスがないため、下地の鉄骨の精度が悪ければレールも左右されやすく、結果、シートのスライドが容易でなかった。
【０００４】
本願は、従来の技術の有するこのような問題点に鑑みなされたものであり、その目的とするところは、上述した問題点を解決できるものを提供しようとするものである。
【０００５】
【課題を解決するための手段】
上記目的を達成するために、本発明は下記のようになるものである。
すなわち、本発明は、ハウス用枠２と、このハウス用枠における屋根部分に着脱自在に張設されたシート３とから構成され、
ハウス用枠２は前後方向をもって等間隔で併設されたフレーム４と、これらフレーム間における棟部分に張設された棟用連結パイプ５と、フレーム間における屋根部分に張設された適数本の母屋用連結パイプ６と、フレーム間における軒部分に張設された軒用連結パイプ１３とから構成され、
フレーム４における屋根部上面から当該フレーム４の垂直部４Ａの上方部分にかけて取付けレール８を介して添設された縦ガイドレール７は、細幅の帯状体部７Ａと、この帯状体部７Ａの前後縁に連設した前後のガイド部７Ｂ、７Ｃから構成され、ガイド部７Ｂ、７Ｃを構成するパイプ７Ｂ１、７Ｃ１には外方に向けたスリット７Ｂ２、７Ｃ２を刻設すると共に、パイプ７Ｂ１、７Ｃ１のガイド部側下端にはそれぞれ細幅の下帯状体７Ｄが張設され、下帯状体７Ｄの中心には縦溝７Ｄ１が開設され、
取付けレール８は、底板８Ａと前後壁８Ｂ、８Ｂが上面が開口しているＣ型鋼状に構成され、前後壁８Ｂ、８Ｂの上辺には逆Ｕ字状の湾曲部８Ｂ１、８Ｂ１が形成され、フレーム４に連結され、
また、縦ガイドレール７は、取付け金具７Ｅを介して取付けレール８に連結され、取付け金具７Ｅは、外枠７Ｅ１と内枠７Ｅ２と連結ボルト７Ｅ３と縦ガイドレール連結ボルト７Ｅ４から構成され、
ａ．外枠７Ｅ１は、細幅板をもって構成された取付けレール８の前後壁８Ｂ、８Ｂ間に架設される水平部７Ｅ１１と、水平部に下方に向け折曲げ取付けレールの前後壁を外方から囲むよう形成された側面部７Ｅ１２と、側面部７Ｅ１２の下端に内方に向け折曲げ取付け金具７Ｅの前後下端隅に取付けレール８を外方から係止するよう形成された係止辺７Ｅ１３から構成され、水平部７Ｅ１１の中心には前後に横長の縦ガイドレール連結穴７Ｅ１４が、縦ガイドレール連結穴の前後には連結ボルト穴７Ｅ１５が開設され、
ｂ．内枠７Ｅ２は、細幅板をもって構成された内枠板７Ｅ２１の両端に、取付けレール８における湾曲部８Ｂ１、８Ｂ１に下方から係止される屈曲片７Ｅ２２が形成され、内枠板７Ｅ２１の中心には前後に横長の縦ガイドレール連結穴７Ｅ２４が、縦ガイドレール連結穴の前後には連結ボルト穴７Ｅ２３が開設され、
ｃ．連結ボルト７Ｅ３は、外枠７Ｅ１と内枠７Ｅ２とを連結していると共に、
ｄ．縦ガイドレール連結ボルト７Ｅ４は、ボルト頭７Ｅ４１を縦ガイドレール７における縦溝７Ｄ１に挿入し、ボルト軸を縦ガイドレール連結穴７Ｅ１４と縦ガイドレール連結穴７Ｅ２４に貫通させナットで緊締され、
当該フレーム４の垂直部４Ａに設けた縦ガイドレール７の下端近傍位置をもって水平状態で張設された左右の連結用側方角パイプ９を、前後に位置するフレーム４間に設け、シートの連結用側方角パイプ９の所定位置にシート緊張具部１０が設けられ、
シート緊張具部１０は、シート体３Ａにおける連結横杆用袋３Ｄに挿入された連結横杆１０Ａと、連結用側方角パイプ９の左右端においてアーチ状パイプ１１Ａ、１１Ａに添うように起立された連結横杆用昇降ガイド１０Ｂ、１０Ｂと、連結用側方角パイプ９の上面に植設され、連結横杆１０Ａに貫通し、当該連結横杆をナット１０Ｃ１で緊締するよう構成されたボルト１０Ｃから構成され、
前後に位置するフレーム４、４間に設けられたテンション用中央枠部１１は、前後一対のアーチ状パイプ１１Ａ、１１Ａと、締付け具部１１Ｂと、フック１１Ｃから構成され、
アーチ状パイプ１１Ａ、１１Ａは、棟用連結パイプ５と、母屋用連結パイプ６、軒用連結パイプ１３の上面に位置し、かつ下端が連結用側方角パイプ９の上面に連結構成され、また、締付け具部１１Ｂは、連結用側方角パイプ９の上面にアーチ状パイプ１１Ａ、１１Ａの中間に位置するよう植設された係止フック１１Ｂ１と、この係止フックに係止されたターンバックル１１Ｂ２から構成され、
フック１１Ｃは母屋用連結パイプ６の上面に、アーチ状パイプ１１Ａ、１１Ａの中間に位置するよう突設され、
シート３は、ハウス用枠２における前後に位置するフレーム４と左右の連結用側方角パイプ９とで囲まれた平面方形のシート展張スペース１２に対応する寸法に裁断されたシート体３Ａと、このシート体３Ａの縦長辺に添設された縦長辺用索状膨大部３Ｂと、このシート体３Ａの横短辺に添設された横短辺用折返し部３Ｃとから構成され、
これら縦長辺用索状膨大部３Ｂは、シート体３Ａの縁に位置する無撚糸ロープ３Ｂ１と、この無撚糸ロープの外周面を覆い、かつ、シート体３Ａの縁部上下面に接着された滑り材３Ｂ２とから構成され、
シート体３Ａの裏面における横短辺用折返し部３Ｃの近傍には、当該横短辺用折返し部と平行に連結横杆用袋３Ｄが添着されていると共に、この連結横杆用袋３Ｄ内には連結横杆１０Ａが貫通され、
シート体３Ａの下面中央部には左右方向をもって縦帯状の袋３Ｅが添着され、
かつ、この袋３Ｅには母屋用連結パイプ６の設置箇所をもって切り込み状開口部３Ｅ１が形成されていると共に、この袋３Ｅにはベルト３Ｅ２が差し込まれ、切り込み状開口部３Ｅ１のあるところには係止環３Ｅ３２が取付けられ、
この係止環３Ｅ３２は、母屋用連結パイプ６の中間に取付けられたフック１１Ｃに引っ掛けられ、固定されシート３の中間部を固定し、
また、ベルト３Ｅ２の両端にはターンバックル１１Ｂ２に係止される係止環３Ｅ３が取付けられ、
ターンバックルを締付け方向に回転させると、ベルト３Ｅ２が緊張し、シート体全体が緊張状態となるよう構成されているシートハウスである。
【０００６】
このほか、下記のように構成することができる。
１．取付け金具７Ｅに代えて使用される第１取付け金具７Ｆは、外枠７Ｆ１と連結ボルト７Ｆ２と縦ガイドレール連結ボルト７Ｆ３から構成され、
ａ．外枠７Ｆ１は、細幅板をもって構成された取付けレール８の前後壁８Ｂ、８Ｂ間に架設される水平部７Ｆ１１と、水平部の両端に取付けレール８における湾曲部８Ｂ１、８Ｂ１に上方から係止される屈曲片７Ｆ１２から構成され、水平部７Ｆ１１の中心には前後に横長の縦ガイドレール連結穴が開設され、
ｂ．連結ボルト７Ｆ２は、外枠７Ｆ１と取付けレール８における湾曲部とを連結すると共に、
ｃ．縦ガイドレール連結ボルト７Ｆ３は、ボルト頭７Ｆ３１を縦ガイドレール７における縦溝７Ｄ１に挿入し、ボルト軸を縦ガイドレール連結穴に貫通させナットで緊締されている。
２．取付け金具７Ｅに代えて使用される第２取付け金具７Ｇは、外枠７Ｇ１と内枠７Ｇ２と連結ボルト７Ｇ３と縦ガイドレール連結ボルト７Ｇ４から構成され、
ａ．外枠７Ｇ１は、細幅板をもって構成された取付けレール８の前後壁８Ｂ、８Ｂ間に架設される水平部７Ｇ１１と、水平部の両端に取付けレール８における湾曲部８Ｂ１、８Ｂ１に上方から係止される屈曲片７Ｇ１２から構成され、水平部７Ｇ１１の中心には平面から見て前後に横長の縦ガイドレール連結穴が、縦ガイドレール連結穴の前後には連結ボルト穴が開設され、
ｂ．内枠７Ｇ２は、細幅板をもって構成された内枠板７Ｇ２１の両端に取付けレール８における湾曲部８Ｂ１、８Ｂ１に下方から嵌合する丸棒体７Ｇ２２が形成され、内枠板７Ｇ２１の前後には連結ボルト穴（図示略）が開設されている。
ｃ．連結ボルト７Ｇ３は、外枠７Ｇ１と内枠７Ｇ２とを連結すると共に、
ｄ．縦ガイドレール連結ボルト７Ｇ４は、ボルト頭７Ｇ４１を縦ガイドレール７における縦溝７Ｄ１に挿入し、ボルト軸を縦ガイドレール連結穴に貫通させナットで緊締されている。
【０００７】
【発明の実施の形態】
以下、本発明の実施の形態を実施例にもとづき図面を参照して説明する。
１は本発明のシートハウスで、ハウス用枠２と、このハウス用枠における屋根部分に着脱自在に張設されたシート３とから構成されている。
ハウス用枠２は前後方向をもって等間隔で併設された略逆Ｕ字状のフレーム４と、これらフレーム間における棟部分に張設された棟用連結パイプ５と、フレーム間における屋根部分に張設された適数本の母屋用連結パイプ６と、フレーム間における軒部分に張設された棟用連結パイプ１３とから構成されている。
【０００８】
７はフレーム４における屋根部上面から当該フレーム４の垂直部４Ａの上方部分にかけて取付けレール８を介して添設されたアルミ型材としての縦ガイドレールで、この縦ガイドレール７は細幅の帯状体部７Ａと、この帯状体部７Ａの前後縁に連設した前後のガイド部７Ｂ、７Ｃから構成され、ガイド部７Ｂ、７Ｃを構成するパイプ７Ｂ１、７Ｃ１には外方に向けたスリット７Ｂ２、７Ｃ２を刻設すると共に、パイプ７Ｂ１、７Ｃ１のガイド部側下端にはそれぞれ細幅の下帯状体７Ｄが張設され、下帯状体７Ｄの中心には縦溝７Ｄ１が開設されている。
なお、取付けレール８は、底板８Ａと前後壁８Ｂ、８Ｂからなり、上面が開口しているＣ型鋼状に構成され、前後壁８Ｂ、８Ｂの上辺には逆Ｕ字状の湾曲部８Ｂ１、８Ｂ１が形成され、連結金物（図示略）などを利用して公知の方法でフレーム４に連結されている。
また、縦ガイドレール７は、取付け金具７Ｅを介して取付けレール８に連結されている。（図１２、１３、１４）
取付け金具７Ｅは、外枠７Ｅ１と内枠７Ｅ２と連結ボルト７Ｅ３と縦ガイドレール連結ボルト７Ｅ４から構成されている。
【０００９】
ａ．外枠７Ｅ１は、細幅板をもって構成された取付けレール８の前後壁８Ｂ、８Ｂ間に架設される水平部７Ｅ１１と、水平部に下方に向け折曲げ取付けレールの前後壁を外方から囲むよう形成された側面部７Ｅ１２と、側面部７Ｅ１２の下端に内方に向け折曲げ取付け金具７Ｅの前後下端隅に取付けレール８を外方から係止するよう形成された係止辺７Ｅ１３から構成されている。
水平部７Ｅ１１の中心には平面前後に横長の縦ガイドレール連結穴７Ｅ１４が、縦ガイドレール連結穴の平面前後には連結ボルト穴７Ｅ１５が開設されている。
ｂ．内枠７Ｅ２は、細幅板をもって構成された内枠板７Ｅ２１の両端に、取付けレール８における湾曲部８Ｂ１、８Ｂ１に下方から係止される屈曲片７Ｅ２２が形成され、内枠板７Ｅ２１の中心には平面前後に横長の縦ガイドレール連結穴７Ｅ２４が、縦ガイドレール連結穴の平面前後には連結ボルト穴７Ｅ２３が開設されている。
ｃ．連結ボルト７Ｅ３は、外枠７Ｅ１と内枠７Ｅ２とを連結している。
ｄ．縦ガイドレール連結ボルト７Ｅ４は、ボルト頭７Ｅ４１を縦ガイドレール７における縦溝７Ｄ１に挿入し、ボルト軸を縦ガイドレール連結穴７Ｅ１４と縦ガイドレール連結穴７Ｅ２４に貫通させナットで緊締されている。
【００１０】
９は前後に位置するフレーム４間に当該フレームの垂直部４Ａに縦ガイドレール７の下端近傍位置をもって水平状態で張設された左右の連結用側方角パイプで、この連結用側方角パイプ９には所定位置をもってシート緊張具部１０が設けられている。
シート緊張具部１０は、シート体３Ａにおける連結横杆用袋３Ｄに挿入された連結横杆１０Ａと、連結用側方角パイプ９の左右端においてアーチ状パイプ１１Ａ、１１Ａに添うように起立された連結横杆用昇降ガイド１０Ｂ、１０Ｂと、連結用側方角パイプ９の上面に植設され、連結横杆１０Ａに貫通し、当該連結横杆をナット１０Ｃ１で緊締するよう構成されたボルト１０Ｃから構成されている。
この結果、ナット１０Ｃ１を締めると、連結横杆１０Ａの両端は連結横杆用昇降ガイド１０Ｂ、１０Ｂで誘導されながら正確に降下するので、シート体の下辺は下方に引っ張られ緊張状態で固定されることになる。
【００１１】
１１は前後に位置するフレーム４、４間に設けられたテンション用中央枠部で、前後一対のアーチ状パイプ１１Ａ、１１Ａと、締付け具部１１Ｂと、フック１１Ｃから構成されている。
アーチ状パイプ１１Ａ、１１Ａは、棟用連結パイプ５と、母屋用連結パイプ６、軒用連結パイプ１３の上面に位置し、かつ下端が連結用側方角パイプ９の上面に連結構成されている。
また、締付け具部１１Ｂは、連結用側方角パイプ９の上面にアーチ状パイプ１１Ａ、１１Ａの中間に位置するよう植設された係止フック１１Ｂ１と、この係止フックに係止されたターンバックル１１Ｂ２から構成されている。
フック１１Ｃは母屋用連結パイプ６の上面に、アーチ状パイプ１１Ａ、１１Ａの中間に位置するよう突設されている。
【００１２】
ついで、シート３について説明する。
１２はハウス用枠２における前後に位置するフレーム４と左右の連結用側方角パイプ９とで囲まれた平面方形のシート展張スペースである。
そこで、シート３は上述シート展張スペース１２に対応する寸法に裁断されたシート体３Ａと、このシート体３Ａの縦長辺に添設された縦長辺用索状膨大部３Ｂと、このシート体３Ａの横短辺に添設された横短辺用折返し部３Ｃとから構成されている。
これら縦長辺用索状膨大部３Ｂは、シート体３Ａの縁に位置する無撚糸ロープ３Ｂ１と、この無撚糸ロープの外周面を覆い、かつ、シート体３Ａの縁部上下面に接着された滑り材３Ｂ２とから構成されている。
さらに、シート体３Ａの裏面における横短辺用折返し部３Ｃの近傍には、当該横短辺用折返し部と平行に連結横杆用袋３Ｄが添着されている。
この連結横杆用袋３Ｄ内には連結横杆１０Ａが貫通されている。
【００１３】
そして、シート体３Ａの下面中央部には左右方向をもって縦帯状の袋３Ｅが添着され、かつ、この袋３Ｅには母屋用連結パイプ６の設置箇所をもって切り込み状開口部３Ｅ１が形成されていると共に、この袋３Ｅにはベルト３Ｅ２が差し込まれ、切り込み状開口部３Ｅ１のあるところには係止環３Ｅ３２が取付けられている。
この係止環３Ｅ３２は、母屋用連結パイプ６の中間に取付けられたフック１１Ｃに引っ掛けられ、固定されシート３の中間部を固定する。
また、ベルト３Ｅ２の両端にはターンバックル１１Ｂ２に係止される係止環３Ｅ３が取付けられている。
ターンバックルを締付け方向に回転させると、ベルト３Ｅ２が緊張し、シート体全体が緊張状態となる。
【００１４】
また、縦ガイドレール７は、上述した取付け金具７Ｅのほか、下記の第１取付け金具７Ｆあるいは第２取付け金具７Ｇを介して取付けレール８に連結することができる。（図１５〜１８参照）
【００１５】
第１取付け金具７Ｆの場合を説明する。
第１取付け金具７Ｆは、外枠７Ｆ１と連結ボルト７Ｆ２と縦ガイドレール連結ボルト７Ｆ３から構成されている。
ａ．外枠７Ｆ１は、細幅板をもって構成された取付けレール８の前後壁８Ｂ、８Ｂ間に架設される水平部７Ｆ１１と、水平部の両端に取付けレール８における湾曲部８Ｂ１、８Ｂ１に上方から係止される屈曲片７Ｆ１２から構成されている。
水平部７Ｆ１１の中心には平面前後に横長の縦ガイドレール連結穴（図示略）が開設されている。
ｂ．連結ボルト７Ｆ２は、外枠７Ｆ１と取付けレール８における湾曲部とを連結している。
ｃ．縦ガイドレール連結ボルト７Ｆ３は、ボルト頭７Ｆ３１を縦ガイドレール７における縦溝７Ｄ１に挿入し、ボルト軸を縦ガイドレール連結穴（図示略）に貫通させナットで緊締されている。
【００１６】
第２取付け金具７Ｇの場合を説明する。
第２取付け金具７Ｇは、外枠７Ｇ１と内枠７Ｇ２と連結ボルト７Ｇ３と縦ガイドレール連結ボルト７Ｇ４から構成されている。
ａ．外枠７Ｇ１は、細幅板をもって構成された取付けレール８の前後壁８Ｂ、８Ｂ間に架設される水平部７Ｇ１１と、水平部の両端に取付けレール８における湾曲部８Ｂ１、８Ｂ１に上方から係止される屈曲片７Ｇ１２から構成されている。
水平部７Ｇ１１の中心には平面前後に横長の縦ガイドレール連結穴（図示略）が、縦ガイドレール連結穴の平面前後には連結ボルト穴（図示略）が開設されている。
ｂ．内枠７Ｇ２は、細幅板をもって構成された内枠板７Ｇ２１の両端に取付けレール８における湾曲部８Ｂ１、８Ｂ１に下方から嵌合する丸棒体７Ｇ２２が形成され、内枠板７Ｇ２１の前後には連結ボルト穴（図示略）が開設されている。
ｃ．連結ボルト７Ｇ３は、外枠７Ｇ１と内枠７Ｇ２とを連結している。
ｄ．縦ガイドレール連結ボルト７Ｇ４は、ボルト頭７Ｇ４１を縦ガイドレール７における縦溝７Ｄ１に挿入し、ボルト軸を縦ガイドレール連結穴に貫通させナットで緊締されている。
【００１７】
【発明の効果】
本発明は、上述の通り構成されているので次に記載する効果を奏する。
１．高所作業を伴わないシートの展張作業が可能となった。
２．シート展張作業時間が従来のものより短い。
３．全て地上作業でシートを展張することが可能である。
４．既設のハウスを簡便に改良できる。
５．従来のレールより構造が単純になり、スライドがスムーズになったため、展張作業が簡便となった。
６．以上１〜５の結果、作業足場が不要となり、その仮設工事費と作業時間短縮による人件費の以上の二つが低コスト化ができるため、全体の工事費用を低く納められる。
【図面の簡単な説明】
【図１】全体の斜視図である。
【図２】棟部分を拡大し一部を切欠いた斜視図である。
【図３】ハウス用枠とシートの関係を説明する縦断面図である。
【図４】縦ガイドレールとシートの関係を説明する斜視図である。
【図５】シートと母屋用連結パイプとの関係を説明する一部を切欠いた斜視図である。
【図６】シートと縦ガイドレールを中心に見た縦断面図である。
【図７】図５におけるシート部分を説明する下面から見た斜視図である。
【図８】シートの一部を切欠いた要部拡大斜視図である。
【図９】シート緊張具部とテンション用中央枠部分の一部を切欠いた要部拡大斜視図である。
【図１０】Ａ−Ａ線拡大端面図である。
【図１１】Ｂ−Ｂ線拡大端面図である。
【図１２】縦ガイドレールと取付けレールの関係を説明する拡大斜視図である。
【図１３】同上の分解斜視図である。
【図１４】図１２の拡大縦断面図である。
【図１５】他の実施例の縦ガイドレールと取付けレールの関係を説明する拡大斜視図である。
【図１６】同上の拡大縦断面図である。
【図１７】他の実施例の縦ガイドレールと取付けレールの関係を説明する拡大斜視図である。
【図１８】同上の拡大縦断面図である。
【符号の説明】
１  シートハウス
２  ハウス用枠
３  シート
４  フレーム
５  棟用連結パイプ
６  母屋用連結パイプ
７  縦ガイドレール
８  取付けレール
９  連結用側方角パイプ
１０  シート緊張具部
１１  テンション用中央枠部
１２  シート展張スペース
１３  軒用連結パイプ
【図１】
0003572229.tif 000002
【図２】
0003572229.tif 000003
【図３】
0003572229.tif 000004
【図４】
0003572229.tif 000005
【図５】
0003572229.tif 000006
【図６】
0003572229.tif 000007
【図７】
0003572229.tif 000008
【図８】
0003572229.tif 000009
【図９】
0003572229.tif 000010
【図１０】
0003572229.tif 000011
【図１１】
0003572229.tif 000012
【図１２】
0003572229.tif 000013
【図１３】
0003572229.tif 000014
【図１４】
0003572229.tif 000015
【図１５】
0003572229.tif 000016
【図１６】
0003572229.tif 000017
【図１７】
0003572229.tif 000018
【図１８】
0003572229.tif 000019